(57)【要約】    【課題】反復使用が可能であり、一回の蓄熱後に複数回使用することができ、併せて熱エネルギの回復過程が簡便である発熱袋を提供すること。    【解決手段】反復使用可能な密封袋１であり、前記密封袋１内には予め濃度80〜90%の酢酸ナトリウム溶液２とステンレス製金属シート３とが装填されており、密封袋１を介して前記ステンレス製金属シート３が捩じ曲げられると前記溶液２が結晶化して発熱し、前記ステンレス製金属シート３の表面には凹凸模様４が刻印されている。  【選択図】  図１
0003110329.tif 000002
【実用新案登録請求の範囲】
【請求項１】
密封袋を有する反復使用可能な発熱袋であり、前記密封袋内には予め濃度80〜90%の酢酸ナトリウム溶液とステンレス製金属シートとが装填されており、密封袋を介して前記ステンレス製金属シートが捩じ曲げられると前記溶液が結晶化して発熱し、前記ステンレス製金属シートの表面には凹凸模様が刻印されていることを特徴とする反復使用可能な発熱袋。
【請求項２】
溶液中に食品用顔料が含まれていることを特徴とする請求項１記載の反復使用可能な発熱袋。
【請求項３】
密封袋はPVC材料またはその他可撓性材料を採用して製造されていることを特徴とする請求項１記載の反復使用可能な発熱袋。
【請求項４】
密封袋の表面は保温機能を備え、触感を改善する繊維層で被覆されていることを特徴とする請求項１又は３記載の反復使用可能な発熱袋。
【請求項５】
記密封袋は複数の相互に区画された部分として加工されており、各部分のすべてにステンレス製金属シートが配置されていることを特徴とする請求項１、３及び４のいずれかに記載の反復使用可能な発熱袋。
【請求項６】
記密封袋の相互に区画された部分は異なる色を有することを特徴とする請求項５記載の反復使用可能な発熱袋。
【請求項７】
密封袋には煮沸時に取出しが便利なようにピックアップ装置が備わっていることを特徴とする請求項１、３〜６のいずれかに記載の反復使用可能な発熱袋。
【請求項８】
密封袋はハート形、矩形、円形、楕円形、リング形、アニメの人物、動物の形や足の形のうちのいずれか1種類として加工することが可能であることを特徴とする請求項１、３〜６のいずれかに記載の反復使用可能な発熱袋。
【請求項９】
密封袋は長手形状で、長手形状の両端には可動接続装置が備わっていることを特徴とする請求項１、３〜６のいずれかに記載の反復使用可能な発熱袋。
【請求項１０】
密封袋は底部と底部に沿って上向きに設置された環形の周縁接合部分とを有する三次元構造であることを特徴とする請求項１、３〜６のいずれかに記載の反復使用可能な発熱袋。
【考案の詳細な説明】
【技術分野】
【０００１】
本考案は日常の保健用品に関するものであり、より具体的には、反復使用可能で多方面に応用される発熱袋に関するものである。
【背景技術】
【０００２】
現有の反復使用可能な発熱袋には、応用範囲は狭く、発熱の持続時間は短く、発熱効率は低く、反復使用にはあまり適しておらず、熱エネルギの回復過程は複雑で、区分ごとに使用することはできないなどの欠点が存在している。
【考案の開示】
【考案が解決しようとする課題】
【０００３】
本考案が解決すべき技術的問題は、反復使用が可能であり、一回の蓄熱後に複数回使用することができ、併せて熱エネルギの回復過程が簡便である発熱袋を提供することである。
【課題を解決するための手段】
【０００４】
本考案において上記技術的問題は次の通り解決される。構造面で密封袋を有する反復使用可能な発熱袋であり、前記密封袋内には予め濃度80〜90%の酢酸ナトリウム溶液とステンレス製金属シートとが装填されており、密封袋を介して前記ステンレス製金属シートが捩じ曲げられると前記溶液が結晶化して発熱し、前記ステンレス製金属シートの表面には凹凸模様が刻印されている。
【０００５】
本考案に基づき提供される反復使用可能な発熱袋において、前記溶液中には少量の食品用顔料が含まれている。
【０００６】
本考案に基づき提供される反復使用可能な発熱袋において、前記密封袋はPVC材料またはその他可撓性材料を採用して製造されている。
【０００７】
本考案に基づき提供される反復使用可能な発熱袋において、前記密封袋の表面は保温機能を備え、触感を改善する繊維層で被覆されている。
【０００８】
本考案に基づき提供される反復使用可能な発熱袋において、前記密封袋は複数の相互に区画された部分として加工されており、各部分のすべてにステンレス製金属シートが配置されている。
【０００９】
本考案に基づき提供される反復使用可能な発熱袋において、前記密封袋の相互に区画された部分は異なる色を有する。
【００１０】
本考案に基づき提供される反復使用可能な発熱袋において、前記密封袋には煮沸時に取出しが便利なようにピックアップ装置が備わっている。
【００１１】
本考案に基づき提供される反復使用可能な発熱袋において、前記密封袋はハート形、矩形、円形、楕円形、リング形、アニメの人物、動物の形や足の形のうちのいずれか1種類として加工することが可能である。
【００１２】
本考案に基づき提供される反復使用可能な発熱袋において、前記密封袋は長手形状で、長手形状の両端には可動接続装置が備わっている。
【００１３】
本考案に基づき提供される反復使用可能な発熱袋において、前記密封袋は底部と底部に沿って上向きに設置された環形の周縁接合部分とを有する三次元構造である。
【００１４】
本考案に基づき提供される反復使用可能な発熱袋には次のような積極的な効果が備わっている。つまり異なる色彩と外形とが採用されているため、その装飾効果はより良好となっており、ピックアップ装置が設置されているため、硬化した発熱袋を沸騰水中に入れる際や、数分間経過して完全に液体化するのを待った後に取り出す際の操作は簡単で、袋を加熱する熱エネルギ回復操作は簡便であり、区画別構造となっているため、一つの発熱袋を複数回使用可能であり、表面に繊維層が設置されているため、発熱袋の触感はより良好となっている。
【考案を実施するための最良の形態】
【００１５】
図１に示されている通り、本考案の反復使用可能な発熱袋の第一実施例において、プラスチック製密封袋１内には予め濃度80〜90%の酢酸ナトリウム溶液２とステンレス製金属シート３とが装填されており、密封袋１を介して前記ステンレス製金属シート３が捩じ曲げられると前記溶液２が結晶化して発熱する。そのうち密封袋１は異なる形状とすることができ、例えば矩形、円形、楕円形などである。
【００１６】
発熱袋の視覚的効果を向上させるため、溶液２中には少量の食品用顔料を添加し、発熱袋に目に優しい視覚効果を持たせることが可能である。前記密封袋１はＰＶＣ材料またはその他可撓性で耐熱性を備えた透明なプラスチックを採用して製造することが可能である。そのうちステンレス製金属シート３の表面本体を下に窪んだシートとするとともにシートの表面には縦横に複数の凹凸した模様４を刻印することが可能である。
【００１７】
図２に示されている第二実施例において、密封袋は足の形として加工されており、発熱する靴の中敷として、冬季に寒冷地で使用すると、摩擦力と保温効果とを向上させることが可能である。密封袋１のプラスチック層の表面は例えば綿糸またはその他の繊維層５により被覆されている。
【００１８】
図３に示されている第三実施例において、プラスチック製密封袋は５つの相互に区画された小袋６として加工されており、各小袋６にはそれぞれステンレス製金属シート３が含まれているため、回を分けて使用することが可能となっている。視覚的効果を向上させるため、各小袋には色の異なる溶液を密封することが可能である。また小袋６を熱水内に投入した際に取出しが不便であるという問題を解決するため、密封袋の一方の側または周囲に煮沸時の取出しが便利なようにピックアップ装置７が設置されている。
【００１９】
図４に示されている密封袋は両端に可動接続装置を有する形式として加工されているため、発熱時にはそれを加熱・保温を必要とする位置、例えば腹部に巻くことが可能である。当該長手形状の密封袋は複数の独立した区画を備えており、それを逐一使用することにより、大幅に発熱時間を延長することが可能である。可動接続装置はマジックテープ（登録商標）、スナップボタン、ナイロンテープなどとすることができ、使用する位置の違いに応じて異なる長さや幅とすることもできる。
【００２０】
図５の実施例には、立体構造である密封袋構造が示されている。当該密封袋には円形の底９と、円形の底９に沿った環形の保護周縁部分１０とが備わり、この種の構造の密封袋は飲料缶の加熱またはビンの加熱用とすることが可能である。内部が各区画に仕切られている場合には、それを逐一使用することにより、加熱・保温時間を延長させることが可能である。
【図面の簡単な説明】
【００２１】
【図１】図１は本考案の反復使用可能な発熱袋に基づく第一実施例の構造見取図である。
【図２】図２は本考案の反復使用可能な発熱袋に基づく第二実施例の構造見取図である。
【図３】図３は本考案の反復使用可能な発熱袋に基づく第三実施例の構造見取図である。
【図４】図４は本考案の反復使用可能な発熱袋に基づく第四実施例の構造見取図である。
【図５】図５は本考案の反復使用可能な発熱袋に基づく第五実施例の構造見取図である。
【符号の説明】
【００２２】
１・・・密封袋
２・・・溶液
３・・・金属シート
４・・・模様
５・・・繊維層
６・・・小袋
【図１】
0003110329.tif 000003
【図２】
0003110329.tif 000004
【図３】
0003110329.tif 000005
【図４】
0003110329.tif 000006
【図５】
0003110329.tif 000007